(57)【要約】  蝶番式蓋付きタバコ箱（１）は、１群のタバコを取り囲む内側パッケージ３と、開放上端４と、開放上端に対向する底面壁７と、前面壁８と、前面壁８に平行でかつ前面壁８に対向する後面壁９と、２つの対向し平行な側面壁１０と、を有する容器２と、蝶番６に沿って容器２に蝶番式に接続されかつ開放上端４に対向する上面壁１３と、前面壁１４と、前面壁１４に対向しかつ前面壁１４に平行の後面壁１５と、２つの対向し平行な側面壁１６と、を有する蓋５と、を有し、容器２の後面壁９、蓋５の後面壁１５、蓋５の上面壁１３、蓋５の前面壁１４は、それぞれの内側のパネル９”、１５”、１３”、１４”がそれぞれの外側のパネル９’、１５’、１３’、１４’に重ねられて糊付けされることによって形成される。【選択図】図６
2014528390.tif 000002
【特許請求の範囲】
【請求項１】
１群のタバコを取り囲む内側パッケージ（３）と、
開放上端（４）と、前記開放上端（４）に対向する底面壁（７）と、前面壁（８）と、前記前面壁（８）に平行でかつ前記前面壁（８）に対向する後面壁（９）と、２つの対向し平行な側面壁（１０）と、を有する容器（２）と、
蝶番（６）に沿って前記容器（２）に蝶番式に接続され、前記開放上端（４）に対向する上面壁（１３）と、後面壁（１５）と、２つの対向し平行な側面壁（１６）と、を有する蓋（５）と、
を備える、蝶番式蓋付きタバコ箱（１）であって、
前記容器（２）の前記後面壁（９）が、外側の第１のパネル（９’）が対応する内側の第１のパネル（９”）に重ねられ、好ましくは前記内側の第１のパネルに糊付けされることによって形成され、前記蓋（５）の前記上面壁（１３）が、外側の第２のパネル（１３’）が対応する内側の第２のパネル（１３”）に重ねられ、好ましくは前記内側の第２のパネルに糊付けされることによって形成され、前記蓋（５）の前記後面壁（１５）が、外側の第３のパネル（１５’）が対応する内側の第３のパネル（１５”）に重ねられ、好ましくは前記内側の第３のパネルに糊付けされることによって形成され、
前記タバコ箱（１）が、前記外側の第１のパネル（９’）が機械的な保持体（２１）を有し、前記保持体が、前記内側の第１のパネル（９”）の下部の自由端部に係合して、前記２つの第１のパネル（９’、９”）を機械的に接続して両者の間の相対的な動きを制限することを特徴とする、
タバコ箱（１）。
【請求項２】
前記保持体（２１）が、折り線（２３）に沿って前記外側の第１のパネル（９’）に蝶番式に接続された少なくとも１つの保持タブ（２２）を備え、前記タブが前記外側の第１のパネル（９’）に対して持ち上げられて前記内側の第１のパネル（９”）の端部に係合する、請求項１に記載のタバコ箱（１）。
【請求項３】
前記内側の第１のパネル（９”）の前記端部が前記保持タブ（２２）の下方に挿入される、請求項２に記載のタバコ箱（１）。
【請求項４】
前記内側の第１のパネル（９”）の前記自由端部が、前記保持タブ（２２）の端部に対面し、前記保持タブ（２２）の前記端部と同平面上にあり、前記保持タブ（２２）の前記端部に当接する、請求項２に記載のタバコ箱（１）。
【請求項５】
前記保持タブ（２２）が前記外側の第１のパネル（９’）の中央部によって形成され、前記中央部が、第１のＵ字形スルーカットによって及び前記第１のＵ字形スルーカットの両端を接合する前記折り線（２３）によって前記外側の第１のパネル（９’）の残り部分から分離される、請求項２、３又は４に記載のタバコ箱（１）。
【請求項６】
前記機械的な保持体（２１）が前記保持タブに並んで配置され、折り線（２３）によって前記保持タブから分離された回転タブ（３０）を備える、請求項２〜５のいずれか１項に記載のタバコ箱（１）。
【請求項７】
前記回転タブ（３０）が前記外側の第１のパネル（９’）の中央部によって形成され、前記中央部が第２のＵ字形スルーカットによって及び前記第２のＵ字形スルーカットの両端を接合する前記折り線（２３）によって前記外側の第１のパネル（９’）の残り部分から分離される、請求項６に記載のタバコ箱（１）。
【請求項８】
前記蓋（５）の前記蝶番（６）が、前記蓋（５）の前記外側の第３のパネル（１５’）を前記容器（２）の前記外側の第１のパネル（９’）に接続する外側の折り線（６’）によって及び前記蓋（５）の前記内側の第３のパネル（１５”）を前記容器（２）の前記内側の第１のパネル（９”）に接続する内側の折り線（６”）によって形成される、請求項１〜７のいずれか１項に記載のタバコ箱（１）。
【請求項９】
前記容器（２）及び前記蓋（５）が、２本の長手方向の折り線（２５）と多数の横断方向の折り線（２６）とを備えるブランク（２４）を折り畳むことによって形成され、前記横断方向の折り線が、前記２本の長手方向の折り線（２５）の間に、前記容器（２）の前記前面壁（８）を形成する第４のパネル（８’）と、前記容器（２）の前記底面壁（７）を形成する第５のパネル（７’）と、前記容器（２）の前記後面壁（９）の外側部分を形成する前記外側の第１のパネル（９’）と、前記蓋（５）の前記後面壁（１５）の外側部分を形成する前記外側の第３のパネル（１５’）と、前記蓋（５）の前記上面壁（１３）の外側部分を形成する前記外側の第２のパネル（１３’）と、前記蓋（５）の前記上面壁（１３）の内側部分を形成する前記内側の第２のパネル（１３“）と、前記蓋（５）の前記後面壁（１５）の内側部分を形成する前記内側の第３のパネル（１５”）と、前記容器の前記後面壁（９）の内側部分を形成する前記内側の第１のパネル（９”）と、を形成する、請求項１〜８のいずれか１項に記載のタバコ箱（１）。
【請求項１０】
前記外側の第３のパネル（１５’）が２つのウィング（１６”）を有し、前記ウィングが前記外側の第３のパネル（１５’）の両側に配置され、前記長手方向の折り線（２５）によって前記外側の第３のパネルから分離されて、前記蓋（５）の前記２つの側面壁（１６）を形成し、
前記外側の第３のパネル（１５’）の各ウィング（１６”）がタブ（２８）を有し、前記タブが、前記内側の第２のパネル（１３”）を重ねる前に前記外側の第２のパネル（１３’）の内面に重ねられ、好ましくは前記内面に糊付けされる、
請求項９に記載のタバコ箱（１）。
【請求項１１】
前記蓋（５）が、前記蓋の前記後面壁（１５）に平行でかつ前記後面壁（１５）に対向する前面壁（１４）を備え、前記前面壁が、外側の第７のパネル（１４’）が対応する内側の第７のパネル（１４”）に重ねられかつ望ましくは前記内側の第７のパネルに糊付けされることによって形成される、請求項１〜１０のいずれか１項に記載のタバコ箱（１）。
【請求項１２】
１群のタバコを取り囲む内側パッケージ（３）と、
開放上端（４）と、前記開放上端（４）に対向する底面壁（７）と、前面壁（８）と、前記前面壁（８）に平行でかつ前記前面壁（８）に対向する後面壁（９）と、２つの対向し平行な側面壁（１０）と、を有する容器（２）と、
蝶番（６）に沿って前記容器（２）に蝶番式に接続され、前記開放上端（４）に対向する上面壁（１３）と、後面壁（１５）と、２つの対向し平行な側面壁（１６）と、を有する蓋（５）と、
を備える蝶番式蓋付きタバコ箱（１）を製造する包装方法であって、
前記包装方法が、
前記容器（２）の前記後面壁（９）を形成するために、外側の第１のパネル（９’）と対応する内側の第１のパネル（９”）を重ねて一緒に糊付けするステップと、
前記蓋（５）の前記上面壁（１３）を形成するために、外側の第２のパネル（１３’）と内側の第２のパネル（１３”）を重ねて一緒に糊付けするステップと、
前記蓋（５）の前記後面壁（１５）を形成するために、外側の第３のパネル（１５’）と対応する内側の第３のパネル（１５”）を重ねて一緒に糊付けするステップと、
を含み、
前記包装方法が、
さらに、前記２つの第１のパネル（９’、９”）を機械的に接続して前記２つの第１のパネルの間の相対的な動きを制限するように、前記外側の第１のパネル（９’）上の機械的な保持体（２１）によって前記内側の第１のパネル（９”）の下部の自由端部を係合するステップを含むことを特徴とする、
包装方法。
【請求項１３】
前記容器（２）及び前記蓋（５）が、内側のパネル（９”、１５”、１３”）と外側のパネル（９’、１３’、１５’）とを備えるブランク（２４）を折り畳むことによって形成され、
前記内側のパネル（９”、１５”、１３”）が、前記内側パッケージ（３）の周りで前記ブランク（２４）を折り畳む前に、前記対応する外側のパネル（９’、１５’、１３’）に重ねられ、好ましくは前記外側のパネルに糊付けされる、
請求項１２に記載の包装方法。
【請求項１４】
さらに、
前記内側の第１のパネル（９”）を前記外側の第１のパネル（９’）に重ねる前に、前記外側の第１のパネル（９’）に対して保持タブ（２２）を持ち上げるステップと、
前記内側の第１のパネル（９”）を前記外側の第１のパネル（９’）に重ねるステップと、
前記内側の第１のパネル（９”）を前記外側の第１のパネル（９’）に重ねた後に、前記外側の第１のパネル（９’）に対してかつ前記内側の第１のパネル（９”）の前記エッジに被せて前記保持タブ（２２）を折り畳むステップと、
を含む、請求項１２又は１３に記載の包装方法。
【発明の詳細な説明】
【技術分野】
【０００１】
本発明は、蝶番式蓋付きのタバコ箱及び関連する包装方法に関する。
【背景技術】
【０００２】
剛性の蝶番式蓋付きタバコ箱は、一群のタバコを取り囲む内側パッケージと、内側パッケージを収容する剛性外側パッケージと、を備える。外側パッケージは、開放上端を持つカップ形容器と、開放上端を開放及び閉鎖する開放位置と閉鎖位置との間で回転するように容器に蝶番式に接続された蓋と、を備える。
【０００３】
ほとんどの市販のタバコ箱の蓋は、前面壁と、前面壁に直角を成す上面壁と、前面壁に対向しかつ前面壁に平行の後面壁と、他の壁に直角を成す２つの対向し平行な側面壁と、を有する。通常、蓋の上面壁及び後面壁は１層であり、蓋の前面壁の限定された部分のみが、補強フラップを折り曲げて内面に糊付けすることによって二重層になっている。但し、場合によっては、蓋全体を強化して、蓋を繰り返し開閉することによって生じる変形を減少するために、上面壁及び後面壁も補強しなければならない。
【０００４】
蓋の上面壁及び後面壁を補強するために、壁は、各々重ねられ、好ましくは糊付けされた２つの層で作られる。従って、蓋の前面壁、上面壁及び後面壁のために、外側パッケージ製造の元となるブランク（blank：半加工品）は、内側のパネル及び外側のパネルを有し、パネルは重ねられ、好ましくは相互に糊付けされる。好ましい実施形態において、ブランクを内側パッケージに付ける前に、即ち、ブランクが内側パッケージの周りに折り畳まれる包装ユニットの上流において、蓋の前面壁、上面壁及び後面壁の内側のパネルと外側のパネルは、重ねられ、好ましくは糊付けされる。但し、ブランクにおける不可避の跳ね返り力は、蓋の前面壁、上面壁、及び後面壁の、重ねられ糊付けされた内側のパネルと外側のパネルとの間に相対的な動きを生じることが分かっており、その結果、実際の容器において、内側のパネルと外側のパネルが適切に一致しない（内側のパネルと外側のパネルとの間の糊が硬化して十分な把握力を発揮するには、ある程度の時間が掛かることに留意しなければならない）。
【０００５】
従って、蓋の前面壁、上面壁、及び後面壁の、内側のパネルと外側のパネルが重ねられた後、これらを正確な位置に維持するために、パネルに圧力を加えるための機械的手段が必要とされる。但し、この種の手段は、製造が複雑であり、包装機械のコストを大幅に増大する。
【発明の概要】
【発明が解決しようとする課題】
【０００６】
上記の欠点を取り除くように設計され、同時に実現が安価で容易な、蝶番式蓋付きタバコ箱及び関連する包装方法を提供することが、本発明の目的である。
【課題を解決するための手段】
【０００７】
本発明に従って、特許請求の範囲において主張される蝶番式蓋付きタバコ箱及び関連する包装方法が提供される。
【０００８】
本発明の多数の非限定的実施形態について、添付図面を参照しながら例として説明する。
【図面の簡単な説明】
【０００９】
【図１】閉鎖状態における本発明に係るタバコ箱の前面斜視図である。
【図２】開放状態における図１のタバコ箱の前面斜視図である。
【図３】閉鎖状態における図１のタバコ箱の後面斜視図である。
【図４】明確化のために一部を取り除いた、図１のタバコ箱の蓋部分の概略断面図である。
【図５】図１のタバコ箱を形成するためのブランクの展開図である。
【図６】図１のタバコ箱を製造する際の図５のブランクの一部の概略斜視図である。
【図７】図５のブランクの変形の平面図である。
【図８】明確化のために一部を取り除いた、本発明に係るタバコ箱の別の実施形態の蓋部分の概略断面図である。
【図９】図８のタバコ箱を形成するためのブランクの展開図である。
【図１０】図８のタバコ箱を製造する際の図９のブランクの一部の概略斜視図である。
【発明を実施するための形態】
【００１０】
図１、２及び３において、符号１は、全体として剛性タバコ箱を示す。タバコ箱１は、剛性ボール紙で作られたカップ形容器２と、内側容器２に収容され一群のタバコを取り囲む内側パッケージ３とを備える。
【００１１】
容器２は、開放上端４を有し、カップ形蓋５は、開放上端４を開放及び閉鎖する、開放位置（図２）と閉鎖位置（図１及び３）との間で回転するように、蝶番６に沿って容器２に蝶番式に接続される。
【００１２】
容器２は、直方体であり、開放上端４に対向する底面壁７と、前面壁８と、前面壁に対向しかつ前面壁に平行の後面壁９と、２つの対向し平行な側面壁１０と、を備える。４つの長手縁１１は、側面壁１０と前面壁８及び後面壁９との間に形成され、４つの横断縁１２は、底面壁７と前面壁８、後面壁９及び側面壁１０との間に形成される。
【００１３】
蓋５は、直方体であり、開放上端４に対向する上面壁１３と、前面壁１４と、前面壁１４に対向しかつ前面壁１４に平行の後面壁１５と、２つの対向し平行な側面壁１６と、を備える。４つの長手縁１１は、側面壁１６と前面壁１４及び後面壁１５との間に形成され、４つの横断縁１２は、上面壁１３と前面壁１４、後面壁１５及び側面壁１６との間に形成される。
【００１４】
図１〜３の実施形態において、縁１１及び１２は、全て直角を成す。別の実施形態（図示せず）において、縁１１及び１２のいくつかは斜角又は丸みを持つことができる。
【００１５】
また、箱１は、剛性の（すなわち、剛性ボール紙の）カラー１７を備え、カラーは、Ｕ字形に折り曲げられ、容器２の内面に固定され（糊付けされ）、部分的に開放上端４の外向きに突き出して、閉鎖された蓋５の対応する内面に係合する。好ましい実施形態において、カラー１７は、２つの突き出し部１８を有し、突き出し部は、側方に突き出して、蓋５の側面壁１６に締り嵌めして、蓋５を閉鎖位置に保持する。カラー１７は、容器２の前面壁８と当接するように位置付けられた前面壁１９と、前面壁１９の両側に配置され容器２の側面壁１０に当接するように位置付けられた２つの側面壁２０と、を備える。
【００１６】
図４に示すように、容器２の前面壁８は１層であり、１枚のパネル８’によって形成されるのに対して、容器２の後面壁は、部分的に二重層であり、外側のパネル９’が対応する内側のパネル９”（外側のパネル９’より小さい）に重ねられ、好ましくは糊付けされることによって形成される。
【００１７】
蓋５の前面壁１４は、全体的に二重層であり、外側のパネル１４’が対応する内側のパネル１４”（外側のパネル１４’と同じサイズ）に重ねられ、好ましくは内側のパネル１４”に糊付けされることによって、蓋５の前面壁１４が形成される。蓋５の上面壁１３は、全体的に二重層であり、外側のパネル１３’が対応する内側のパネル１３”（外側のパネル１３’と同じサイズ）に重ねられ、好ましくは内側のパネル１３に糊付けされることによって、蓋５の上面壁１３が形成される。蓋５の後面壁は全体的に二重層であり、外側のパネル１５’が対応する内側のパネル１５”（外側のパネル１５’と同じサイズ）に重ねられ、好ましくは内側のパネル１５”に糊付けされることによって形成される。
【００１８】
蓋５の蝶番６は、蓋５の外側のパネル１５’を容器２の外側のパネル９’に接続する外側の折り線６’によって、及び蓋５の内側のパネル１５”を容器２の内側のパネル９”に接続する内側の折り線６”によって形成される。
【００１９】
容器２の外側のパネル９’は機械的な保持体２１を有し、保持体は、内側のパネル９”の下部の自由端部に係合して、パネル９’とパネル９”を機械的に接続して、その間の相対的な動きを制限する。より具体的には、保持体２１は、折り線２３に沿って外側のパネル９’に蝶番式に接続された保持タブ２２を備え、保持タブは、外側のパネル９’に対して持ち上げられて、内側のパネル９”の端部に係合する。図４の実施形態において、内側のパネル９”の端部は保持タブ２２の下方に折り線２３まで（又は、その直前まで）挿入される。言い換えると、保持タブ２２は、保持タブ２２の下方に内側のパネル９”の端部を挿入するように外側のパネル９’に対して持ち上げられる。
【００２０】
図５に示すように、容器２及び蓋５は、平らな実質的に細長い長方形のブランク２４から形成され、ブランクは、２本の長手方向の折り線２５と、多数の横断方向の折り線２６とを有する。横断方向の折り線は、２本の長手方向の折り線２５の間に、容器２の前面壁８を形成するパネル８’、容器２の底面壁７を形成するパネル７’、容器２の後面壁９の外側部分を形成する外側のパネル９’、蓋５の後面壁１５の外側部分を形成する外側のパネル１５’、蓋５の上面壁１３の外側部分を形成する外側のパネル１３’、蓋５の前面壁１４の外側部分を形成する外側のパネル１４’、蓋５の前面壁１４の内側部分を形成する内側のパネル１４”、蓋５の上面壁１３の内側部分を形成する内側のパネル１３”、蓋５の後面壁１５の内側部分を形成する内側のパネル１５”及び容器２の後面壁９の内側部分を形成する内側のパネル９”を形成する。
【００２１】
パネル８’は、２つのウィング１０’を有し、ウィングは、パネル８’の両側に配置され、長手方向の折り線２５によってパネル８’から分離されて、容器２の２つの側面壁１０の外側部分を形成する。外側のパネル９’は、２つのウィング１０”を有し、ウィングは、外側のパネル９’の両側に配置され、長手方向の折り線２５によって外側のパネル９’から分離されて、容器２の２つの側面壁の内側部分を形成する。各ウィング１０”はタブ２７を有し、タブは、パネル７’の内面に重ねられ、好ましくはパネル７’の内面に糊付けされる。
【００２２】
外側のパネル１５’は、２つのウィング１６”を有する。ウィングは、外側のパネル１５’の両側に配置され、長手方向の折り線２５によって外側のパネル１５’から分離されて、蓋５の２つの側面壁１６の内側部分を形成する。外側のパネル１４’は２つのウィング１６’を有する。ウィングは、外側のパネル１４’の両側に配置され、長手方向の折り線２５によって外側のパネル１４’から分離されて、蓋５の２つの側面壁１６の外側部分を形成する。各ウィング１６”はタブ２８を有し、タブは、内側のパネル１３”を重ねる前に、外側のパネル１３’の内面に重ねられ、好ましくは外側のパネル１３’の内面に糊付けされる。言い換えれば、２つのタブ２８は、視線から隠されるように外側のパネル１３’と内側のパネル１３”との間に挿入される。
【００２３】
内側のパネル９”は、２つのウィング２９を有する。ウィングは、内側のパネル９”の両側に配置され、長手方向の折り線２５によって内側のパネル９”から分離されて、外側のパネル９’の対応するウィング１０”の内面に重ねられ、好ましくはウィング１０”の内面に糊付けされる。
【００２４】
外側のパネル９’は保持タブ２２を有する。保持タブは、Ｕ字形スルーカット（through cut：切り開き）によって及びＵ字形スルーカットの両端を接続する折り線２３によって外側のパネル９’の残り部分から分離された外側のパネル９’の中央部によって形成される。
【００２５】
図６に示すように、ブランク２４を内側パッケージ３の周りで折り畳む前に、内側のパネル９”、１５”、１３”及び１４”は、対応する外側のパネル９’、１５’、１３’及び１４’に重ねられ、好ましくは外側のパネル９’、１５’、１３’及び１４’に糊付けされる。内側のパネル９”を外側のパネル９’に重ねる前に、保持タブ２２は外側のパネル９’に対して持ち上げられ（例えば外側のパネルと直角を成すように位置付けて）、内側のパネル９”が外側のパネル９’に重ねられた後、保持タブ２２は内側のパネル９”の端部に被せて外側のパネル９’に折り戻されて、２つのパネル９’及び９”を機械的に接続する。
【００２６】
ブランク２４のパネル１５’、１３’、１４’、１５”、１３”、１４”は、ブランク２４を内側パッケージ３の周りで折り畳む前に（図６に示すように）又は後に、重ねて折り畳んで、蓋５を形成できる。
【００２７】
図７の変形において、機械的な保持体２１は、保持タブ２２に並べて配置され、折り線２３によって保持タブ２２から分離された回転タブ３０を備える。回転タブ３０は、Ｕ字形スルーカットによって及びＵ字形スルーカットの両端を接続する折り線２３によって外側のパネル９’の残り部分から分離された外側のパネル９’の中央部によって形成され、保持タブ２２を回転させる役割を果たす。折り線２３の周りで回転（押圧）されると、回転タブ３０は、折り線２３の周りでの保持タブ２２の同様の回転を生じる。
【００２８】
図４〜７の実施形態において、内側のパネル９”の下部の自由端部は、保持体２１の保持タブ２２の下方に挿入される。図８〜１０の実施形態においては、内側のパネル９”の下部の自由端部は、保持体２１の保持タブ２２の上部の自由端部と当接するように位置付けられる。即ち、内側のパネル９”及び保持タブ２２の２つの自由端部は、同平面上に在り、相互に対面して当接するように位置付けられ、保持タブ２２は、内側のパネル９”を外側のパネル９’に重ねる前に又は後に、外側のパネル９’に対して持ち上げることができる。
【００２９】
図示する実施形態において、外側のパネル９’の保持体２１は、１つの保持タブ２２しか持たない。完全に同等の実施形態（図示せず）において、外側のパネル９’の保持体２１は、並列する２つ（又は、３つ）の保持タブ２２を有する。
【００３０】
別の実施形態（図示せず）において、タバコ箱１は、スライドオープン型であり、一方が他方の内部に挿入された２つの部分的に分離可能な容器を備える。容器２は、内側容器を形成し、外側容器の内部に収容されて、外側容器に対して、容器２が外側容器の内部に挿入される閉鎖状態と、容器２が部分的に外側容器から引き出される開放状態との間でスライドする。容器２の蓋５は、一方の端で蓋５に接続され、対向する端で外側容器に接続された、接続タブを有し、容器２が外側容器に対してスライドするとき、「自動的に」（即ち、使用者が蓋５に触れる必要なく）蓋５を回転させることができる。言い換えると、接続タブが蓋５の壁を機械的に外側容器の壁に接続することによって、容器２が外側容器に対してスライドするとき、外側容器は、閉鎖位置から開放位置へ又はその逆に自動的に（すなわち、使用者が蓋に触れる必要なく）蓋５を押すので、使用者は、蓋５に触れる必要なく、外側容器に対して容器２をスライドするために十分な圧力を加えるだけで、蓋は「自動的に」回転する。
【００３１】
別の実施形態（図示せず）において、蓋５は前面壁１４を持たない（従って、ブランク２４は、パネル１４’及び１４”を持たない）。この実施形態は、上述のスライドオープン型と組み合わせることが好ましい（但し、必ずしも組み合わせる必要はない）。
【００３２】
別の変形において、容器２は、同様にタバコ箱１の一部を形成する外箱体に収容できる。
【００３３】
上述のタバコ箱１は、多数の利点を有する。
【００３４】
第１に、上述のタバコ箱１において、内側のパネル９”は外側のパネル９’の保持体２１によって正しい位置に保持されるので、内側のパネル９”、１５”、１３”及び１４”は、対応する外側のパネル９’、１５’、１３’及び１４’に重ねられ、外側のパネル９’、１５’、１３’及び１４’に糊付けされた後、糊が乾燥するとき所定の位置からの跳ね返りが防止される。重要なのは、内側のパネル９”、１５”、１３”及び１４”は接続されており相互に著しく動くことが防止されるので、内側のパネル９”のみを、保持体２１によって外側のパネル９’に機械的に接続するだけでよいことである。
【００３５】
第２に、上述のタバコ箱１は、保持体２１が存在することが同様の既知のタバコ箱１と唯一異なるので、安価で容易に製造できる。保持体は、ブランク２４がすでに経ている作業と変わらない簡単な機械的作業によって（すなわち、Ｕ字形スルーカット及び折り線２３の形成によって）外側のパネル９’に簡単に製造できる。
【００３６】
最後に、上述のタバコ箱１は、外側のパネル９’へのいくつかの簡単な作業によってブランク２４を折り畳むとき保持タブ２２を折り曲げられるので、安価で容易に製造できる。
【図１】
2014528390.tif 000003
【図２】
2014528390.tif 000004
【図３】
2014528390.tif 000005
【図４】
2014528390.tif 000006
【図５】
2014528390.tif 000007
【図６】
2014528390.tif 000008
【図７】
2014528390.tif 000009
【図８】
2014528390.tif 000010
【図９】
2014528390.tif 000011
【図１０】
2014528390.tif 000012
【国際調査報告】
2014528390.tif 000013
2014528390.tif 000014